(57)【要約】【課題】  トリガー式液体噴出器のノズルに付設するフードの再装着の手間を解消し、かつフードを噴出するおそれがなく、かつトリガーの誤操作を防止可能な噴出器を提供する。【解決手段】上記筒状フード２２を、ポンプ本体４上部に前後動自在に設けた上半筒相当部２２ａと、該上半筒相当部の前端部に前端相当部分３６を枢着して垂下する下半筒相当部２２ｂとで、使用時に前方へ引き出した上半筒相当部２２ａ下端部へ、枢着部３１周りの回動により下半筒相当部２２ｂの上端相当部分３７を嵌合させて形成することが可能に設け、かつ該下半筒相当部はトリガー６前面を囲うように枢着部３１から垂下した。【選択図】  図１
2005288426.tif 000002
【特許請求の範囲】
【請求項１】
ノズルを筒状フードで囲ったトリガー式液体噴出器において、上記筒状フード２２を、ポンプ本体４上部に前後動自在に設けた上半筒相当部２２ａと、該上半筒相当部の前端部に前端相当部分３６を枢着して垂下する下半筒相当部２２ｂとで、使用時に前方へ引き出した上半筒相当部２２ａ下端部へ、枢着部３１周りの回動により下半筒相当部２２ｂの上端相当部分３７を嵌合させて形成することが可能に設け、かつ該下半筒相当部はトリガー６前面を覆うように枢着部３１から垂下したことを特徴とするトリガー式液体噴出器。
【請求項２】
上記上半筒相当部２２ａから後方突設した延長壁部２３を、これら上半筒相当部乃至延長壁部の各内面とポンプ本体４上部外面との一方に穿設した前後方向の案内溝１２内に、他方に穿設した嵌合突条２９を摺動自在に嵌合させることで前後動可能に設け、前方引出しした上半筒相当部２２ａ及び下半筒相当部２２ｂを、上記延長壁部２３内方の案内溝部分及び嵌合突条部分の嵌合により支持することが可能に構成したことを特徴とする、請求項１記載のトリガー式液体噴出器。
【請求項３】
上記下半筒相当部２２ｂがトリガー６前面を覆った状態で相互に係合する凹凸状係合手段４１，４２を下半筒相当部２２ｂ及び上半筒相当部２２ａの適所に設けたことを特徴とする、請求項１又は請求項２記載のトリガー式液体噴出器。
【請求項４】
上記凹凸状係合手段４１，４２は、更に、上記下半筒相当部２２ｂが上記上半筒相当部２２ａの下面へ嵌合した状態で、相互に係合するように形成したことを特徴とする、請求項３記載のトリガー式液体噴出器。
【発明の詳細な説明】
【技術分野】
【０００１】  本発明は、トリガー式液体噴出器に関する。
【背景技術】
【０００２】  トリガー式の液体噴出器として、洗剤などの噴射液体が被吹付け面から利用者の顔へ跳ね返ることを防止するため、噴出ノズルに筒状フードを付設したものが提案されている（特許文献１、特許文献２）。
【特許文献１】  特開平８−３０９２４０号
【特許文献２】  特開平９−２５３５３９号
【発明の開示】
【発明が解決しようとする課題】
【０００３】  上記両文献の液体噴出器では、保管の際にフードを液体噴出器本体から取り外して保管するタイプのものであったのでフードを紛失するおそれがあり、又、使用時にフードを再装着するのが面倒であるという問題点があった。【０００４】  そこで本発明は、上記従来技術の問題点を解決するため、非使用時に筒状フードを分割して液体噴出器本体の各部を覆うカバーとして用いることが可能な、トリガー式液体噴出器を提供することを目的とする。
【課題を解決するための手段】
【０００５】  第１の手段は、ノズルを筒状フードで囲ったトリガー式液体噴出器であり、上記筒状フード２２を、ポンプ本体４上部に前後動自在に設けた上半筒相当部２２ａと、該上半筒相当部の前端部に前端相当部分３６を枢着して垂下する下半筒相当部２２ｂとで、使用時に前方へ引き出した上半筒相当部２２ａ下端部へ、枢着部３１周りの回動により下半筒相当部２２ｂの上端相当部分３７を嵌合させて形成することが可能に設け、かつ該下半筒相当部はトリガー６前面を覆うように枢着部３１から垂下させた。【０００６】  尚、本明細書及び特許請求の範囲において、「上半筒相当部」、「下半筒相当部」、「前端相当部分」、「上端相当部分」などという言葉は、図５の如く筒形ホーンを形成した状態での該当部分をいうものとする。【０００７】  第２の手段は、上記第１の手段を有し、かつ上記上半筒相当部２２ａから後方突設した延長壁部２３を、これら上半筒相当部乃至延長壁部の各内面とポンプ本体４上部外面との一方に穿設した前後方向の案内溝１２内に、他方に穿設した嵌合突条２９を摺動自在に嵌合させることで前後動可能に設け、前方引出しした上半筒相当部２２ａ及び下半筒相当部２２ｂを、上記延長壁部２３内方の案内溝部分及び嵌合突条部分の嵌合により支持することが可能に構成している。【０００８】  第３の手段は、上記第１の手段又は第２の手段を有し、かつ上記下半筒相当部２２ｂがトリガー６前面を覆った状態で相互に係合する凹凸状係合手段４１，４２を下半筒相当部２２ｂ及び上半筒相当部２２ａの適所に設けている。【０００９】  第４の手段は、上記第３の手段を有し、かつ上記凹凸状係合手段４１，４２は、更に、上記下半筒相当部２２ｂが上記上半筒相当部２２ａの下面へ嵌合した状態で、相互に係合するように形成している。
【発明の効果】
【００１０】  第１の手段に係る発明によれば、次の効果を奏する。
○筒状フード２２は、相互に枢着された上半筒相当部２２ａ及び下半筒相当部２２ｂとで形成され、使用時に上半筒相当部２２ａをポンプ本体４の上部に前後動自在に形成したから、非使用時に筒状ホーンを紛失することがなく、かつ嵩張ることがない。
○上記筒状フード２２は、ポンプ本体４上部から上半筒相当部２２ａを前方へ引き出すとともに、枢着部３１を中心として下半筒相当部２２ｂを嵌合させ、上半筒相当部２２ａと合体させることで使用可能となるから、操作も簡単である。
○下半筒相当部２２ｂはトリガー６前面を覆うカバーとしての機能を果たすため、トリガーの誤操作を防止できる。【００１１】  第２の手段に係る発明によれば、上半筒相当部２２ａから後方突設した延長壁部２３内方での案内溝１２と嵌合突条２９との嵌合により筒状フード２２を支持するように設けたから、該支持を確実に行うことができる。【００１２】  第３の手段に係る発明によれば、上記下半筒相当部２２ｂがトリガー６前面を覆った状態で相互に係合する凹凸状係合手段４１，４２を設けたから、例えば子供がトリガーを悪戯することを防止することができる。【００１３】  第４の手段に係る発明によれば、上記凹凸状係合手段４１，４２は、更に、上記下半筒相当部２２ｂが上記上半筒相当部２２ａの下面へ嵌合した状態で相互に係合するから、該上半筒相当部２２ａ下面からの下半筒相当部２２ｂの脱落を防止できる。
【発明を実施するための最良の形態】
【００１４】  図１乃至図６は、本発明に係る液体噴出器の一例を示しており、該噴出器は、液体噴出器本体１と、フード付き部材２１とで構成されている。まず該構成のうち公知の部分を説明する。【００１５】  液体噴出器本体１は、容器体２の口頸部に装着筒３を介してポンプ本体４を取り付けている。該ポンプ本体は、水平射出筒（図示せず）の前端部にノズル筒５を付設するとともに、水平射出筒の前端部下面側からトリガー６を垂下し、該トリガーを後方へ引くと容器体２内の液体がシリンダ７内へ吸い上げ、該シリンダ内部から上記水平射出筒を介してノズル筒５より液体を噴出可能に構成している。又、ポンプ本体４は上記水平射出筒及びシリンダ７の少なくとも左右側方を覆うカバー９を有する。【００１６】  本発明においては、上記カバー９は、前後方向に長く左右巾一定の頂板１０左右両則から左右側板１１，１１を平行に垂下してなり、図３に示す如くこれら側板の上部に左右に長い案内溝１２，１２を横設している。【００１７】  フード付き部材２１は、筒状フード２２を、下半筒相当部２２ｂと上半筒相当部２２ａとで形成するとともに、該上半筒相当部２２ａの後端部から、上半筒相当部と左右同巾の延長壁部２３を後方突設してなる。これら上半筒相当部２２ａ及び延長壁部２３とは、ポンプ本体４の上部へ図３に示す如く前方への引出し可能に取り付ける。そのためには、ポンプ本体４のカバー９左右側板１１，１１外面へ、上半筒相当部及び延長壁部の側壁部分２８，２８を嵌合させるとともに、これら両側壁内面に付設した嵌合突条２９を上記案内溝１２に摺動自在に嵌合させて形成すると良い。【００１８】  又、上記下半筒相当部２２ｂは、該下半筒相当部２２ｂの各前端相当部分３６と上半筒相当部２２ａ前端部分との各角部を相互に枢着させることで、常時は図１に示す如く該枢着部３１から垂下して既述トリガー６の前面を覆うように設け、かつ図３の如く上半筒相当部２２ａを前方へ引出したときに、上記枢着部３１を中心とする回動により、上記下半筒相当部２２ｂの上端相当部分３７を該上半筒相当部側壁２６，２６下端部外面へ嵌合させることが可能に構成している。上記下半筒相当部２２ｂは、上記回動によりその後端相当部分が上記トリガー６に当接しないような長さに設計する。尚、上記枢着部３１は、図６に示す如く、上記下半筒相当部２２ｂの前端相当部分８６角部に穿設した軸孔３２内に、上半筒相当部２２ａの前端相当部分３６角部に付設した軸部３３を固嵌めさせている。【００１９】  又、上記下半筒相当部２２ｂの上端相当部分３７と上半筒相当部２２ａ側壁の下端部とには、これら上半筒相当部及び下半筒相当部の嵌合時に相互に係合する係合凹部３４及び係合爪部３５をそれぞれ形成している。【００２０】  尚、図示例と異なり、上記ポンプ本体４のカバー９側板１１，１１外面に嵌合突条２９を、上記上半筒相当部２２ａの側壁内面に案内溝をそれぞれ形成しても良い。尚、図示例の筒状フードは４角筒状に形成しているが、その形状は適宜変更することができる。【００２１】  上記構成において、まず図１の状態から上半筒相当部２２ａを前方へ引出すと、図３に示す如く、延長壁部２３内での案内溝１２部分と嵌合突条２９部分との嵌��により、前方引出しされた上半筒相当部２２ａ及び下半筒相当部２２ｂを支持している。この状態から該下半筒相当部を上記枢着部３１を中心に回動させ、下半筒相当部２２ｂの上端相当部分３７を上半筒相当部２２ａの下端部外面へ嵌合させると、筒状フード２２が形成される。そこで好ましくは該筒状フードの先端面を被吹付け面へ当接させてトリガー６を引くと、周囲に液体が飛び散ることなく被吹付け面へ液体を付着させることができる。吹付け作業が終了したときは、上記下半筒相当部２２ｂを初期状態へ回動させ、かつ上記上半筒相当部２２ａを後方へ後退させることで図１の状態に戻る。【００２２】  図７（Ａ）〜（Ｃ）は、図６の枢着部３１の変形例として、上記下半筒相当部２２ｂの回転位置（方位）規制手段として相互に係合可能な凹凸状の係合手段４１，４２を形成したものである。【００２３】  図７（Ａ）では、上記軸孔３２孔縁の一部を切り欠いて、該切欠き３９の内縁一端から、該切欠き内縁との間に逃げ代としての小間隙を存して突出した係止片で、凸状係合手段４２を形成するとともに、上記軸部３３の周面２箇所に軸線に対して９０度の角度を存して穿設した嵌合凹部で凹状係合手段４１を形成し、これら両係合手段は、上記各嵌合凹部の一方又は他方に上記係止片が嵌合することで、上記下半筒相当部２２ｂを垂直状態又は水平状態に位置決めして固定する固定されるように形成されるように構成されている。【００２４】  図７（Ｂ）では、上記軸孔３２の孔縁に、軸線に対して９０度の角度を存して離間させて形成した２つの係合溝を、凹状係合手段４１とし、又、上記軸部の周面一部から突出した係合突起を、凸状係合手段４２としている。【００２５】  図７（Ｃ）では、上記軸孔３２及び軸部３３を軸方向から見て多角形状として、軸孔の隅部で凹状係合手段４１を、又軸部３３の角部で凸状係合手段４２をそれぞれ形成している。【００２６】  尚、図示例と異なり、上記凹凸状係合手段を枢着部３１以外の上半筒相当部２２ａ及び下半筒相当部２２ｂの適所に形成しても良い。又、凹凸状の係合手段４１，４２は下半筒相当部２２ｂが図１の垂直状態乃至図５の水平状態の何れか一方にあるときのみ相互に係合するように構成しても良い。【００２７】  上記構成において、図１の状態では、凹凸状の係合手段４１，４２が相互に嵌合して、上記下半筒相当部２２ｂがトリガー６前面に沿って垂下されている状態を維持しているので、子供がトリガーを誤って操作することを防止することができる。図１から上半筒相当部２２ａを前方へ引き出し、上記枢着部３１を中心として下半筒相当部２２ｂを回転させ、図４の上半筒相当部２２ａ下端部へ係合させると、再び凹凸状係合手段４１，４２が嵌合するので、上記下半相当部２２ｂの上半筒相当部２２ａ下端部からの離脱を阻止する。【００２８】  図８は、既述筒状フード２２の変形例であり、該筒状フードを前方へ拡開する８角筒状に形成し、該８角筒の上半部及び下半部をそれぞれ上半筒相当部２２ａ及び下半筒相当部２２ｂとして形成したものである。本実施形態の場合、上記ポンプ本体４のカバー９と比較して筒状フード２２の左右横巾が増大するため、その増加分に対応して、上記カバー９の左右側板１１内面から内方突出させた嵌合突条２９の突出巾（左右横巾）を大きくすると良い。
【図面の簡単な説明】
【００２９】
【図１】  本発明に係る液体噴出器の側面図である。
【図２】  図１の液体噴出器の斜視図である。
【図３】  図１の液体噴出器の使用準備状態の説明図である。
【図４】  図１の液体噴出器の使用状態斜視図である。
【図５】  図１の液体噴出器の使用状態側面図である。
【図６】  図１の液体噴出器の要部分解斜視図である。
【図７】  図６に示す要部の変形例の各態様を示す斜視図である。
【図８】  図１の液体噴出器の主要部材の変形例を示す斜視図である。
【符号の説明】
１…液体噴出器本体  ２…容器体  ３…装着筒  ４…ポンプ本体  ５…ノズル筒  ６…トリガー  ７…シリンダ  ９…カバー  １０…頂板  １１…側板  １２…案内溝  ２１…フード付き部材  ２２…筒状フード  ２２ａ…上半筒相当部  ２２ｂ…下半筒相当部  ２３…延長壁部  ２６…上半筒相当部側壁  ２７…下半筒相当部側壁  ２８…延長壁部側壁  ２９…嵌合突条  ３１…枢着部  ３２…軸孔  ３３…軸部  ３４…係合凹部  ３５…係合爪部  ３６…前端相当部分３６  ３７…上端相当部分  ３９…切欠き  ４１…凹状係合手段  ４２…凸状係合手段
【図１】
2005288426.tif 000003
【図２】
2005288426.tif 000004
【図３】
2005288426.tif 000005
【図４】
2005288426.tif 000006
【図５】
2005288426.tif 000007
【図６】
2005288426.tif 000008
【図７】
2005288426.tif 000009
【図８】
2005288426.tif 000010